(57)【要約】【課題】  家庭に於て、長期間留守にする間中、光や音声を発する電気器具を、ＯＮと、ＯＦＦとを交互に繰り返し作動させることで、電気器具に、在宅偽装を行う防犯機能を持たせるコンセント及び家庭用防犯方法を提供することを目的とする。【解決手段】  電源コンセント１に差込まれる端子と、光及び音声を発する電気器具３の差込プラグ４が差込まれる差込孔部と、を有する。さらに、隣り合う通電状態のＯＮ時間長さが相違するようにＯＮとＯＦＦを交互に切換えるＯＮ・ＯＦＦ制御手段14を、具備する。しかも、ＯＮ・ＯＦＦ制御手段14により、複数回の通電状態を１サイクルとして、ＯＮとＯＦＦとを、周期的に繰り返す。【選択図】  図２
2006147446.tif 000002
【特許請求の範囲】
【請求項１】
電源コンセント（１）に差込まれる端子（２)(２）と、光及び／又は音声を発する電気器具（３）の差込プラグ（４）が差込まれる差込孔部（５)(５）と、を有し、
さらに、隣り合う通電状態のＯＮ時間長さ（Ｔ1 )(Ｔ1 ）が相違するようにＯＮとＯＦＦを交互に切換えるＯＮ・ＯＦＦ制御手段（14）を、具備することを特徴とするコンセント。
【請求項２】
電源コンセント（１）に差込まれる端子（２)(２）と、光及び／又は音声を発する電気器具（３）の差込プラグ（４）が差込まれる差込孔部（５)(５）と、を有し、
さらに、隣り合う通電状態のＯＮ時間長さ（Ｔ1 )(Ｔ1 ）が相違するようにＯＮとＯＦＦを交互に切換えるＯＮ・ＯＦＦ制御手段（14）を、具備し、
しかも、該ＯＮ・ＯＦＦ制御手段（14）は、複数回の上記通電状態を１サイクル（Ｔ）として周期的に繰り返すように構成されたことを特徴とするコンセント。
【請求項３】
天井に付設された電源ソケット（７）と、天井吊下げ型照明器具（10Ａ）のプラグ部（８）と、を連結するコンセントであって、
隣り合う通電状態のＯＮ時間長さ（Ｔ1 )(Ｔ1 ）が相違するようにＯＮとＯＦＦを交互に切換えるＯＮ・ＯＦＦ制御手段（14）を、具備することを特徴とするコンセント。
【請求項４】
天井に付設された電源ソケット（７）と、天井吊下げ型照明器具（10Ａ）のプラグ部（８）と、を連結するコンセントであって、
隣り合う通電状態のＯＮ時間長さ（Ｔ1 )(Ｔ1 ）が相違するようにＯＮとＯＦＦを交互に切換えるＯＮ・ＯＦＦ制御手段（14）を、具備し、
しかも、該ＯＮ・ＯＦＦ制御手段（14）は、複数回の上記通電状態を１サイクル（Ｔ）として周期的に繰り返すように構成されたことを特徴とするコンセント。
【請求項５】
リモコン（９）の操作によって、上記照明器具（10Ａ）への通電を、ＯＮ状態と、ＯＦＦ状態と、上記ＯＮ・ＯＦＦ制御手段（14）と、に択一的に切換わるように構成された請求項３又は４記載のコンセント。
【請求項６】
留守中の家庭に於て、電源コンセント（１）に接続したコンセント（20）内のＯＮ・ＯＦＦ制御手段（14）によって、自動的に、光及び／又は音声を発する電気器具（３）を、ＯＮとＯＦＦを交互に切換えて、在宅偽装を行うことを特徴とする家庭用防犯方法。
【請求項７】
留守中の家庭に於て、天井に付設された電源ソケット（７）に接続したコンセント（30）内のＯＮ・ＯＦＦ制御手段（14）によって、自動的に、天井吊下げ型照明器具（10Ａ）を、ＯＮとＯＦＦを交互に切換えて、在宅偽装を行うことを特徴とする家庭用防犯方法。
【発明の詳細な説明】
【技術分野】
【０００１】
本発明は、家庭に於て、電源コンセントと電気器具とを接続するコンセント、及び、そのコンセントによる防犯方法に関するものである。
【背景技術】
【０００２】
従来、電源コンセントと電気器具を接続するコンセントとして、前部に設けられたボタンが押されると、設定された時間の経過後に、電気器具への通電を遮断するタイマー機能を有するものが知られている（例えば、特許文献１参照）。
【特許文献１】特開平８−７９８７号公報
【発明の開示】
【発明が解決しようとする課題】
【０００３】
家庭に於て、留守にする場合に、照明器具や、オーディオ機器等の電気器具を、既述の従来のタイマー機能付きコンセントに接続して機能させれば、出掛けた後、ある一定時間の間は、電気器具に通電させることができ、人が家の中に居るように思わせる（在宅偽装を行う）ことができる。
しかし、電気器具への通電が一旦遮断となると、その後、自動的にＯＮにならないので、長期間留守にする場合には、通電状態遮断後は、電気器具による在宅偽装を行うことができず、留守であることが、外部から判ってしまう。このため、空き巣に狙われ、入られ易い。
【０００４】
そこで、本発明は、家庭に於て、長期間留守にする間中、光や音声を発する電気器具を、ＯＮと、ＯＦＦとを交互に繰り返し作動させることで、電気器具に、在宅偽装を行う防犯機能を持たせるコンセント及び家庭用防犯方法を提供することを目的とする。
【課題を解決するための手段】
【０００５】
上記の目的を達成するために、本発明に係るコンセントは、電源コンセントに差込まれる端子と、光及び／又は音声を発する電気器具の差込プラグが差込まれる差込孔部と、を有し、さらに、隣り合う通電状態のＯＮ時間長さが相違するようにＯＮとＯＦＦを交互に切換えるＯＮ・ＯＦＦ制御手段を、具備する。
【０００６】
また、コンセントは、電源コンセントに差込まれる端子と、光及び／又は音声を発する電気器具の差込プラグが差込まれる差込孔部と、を有し、さらに、隣り合う通電状態のＯＮ時間長さが相違するようにＯＮとＯＦＦを交互に切換えるＯＮ・ＯＦＦ制御手段を、具備し、しかも、該ＯＮ・ＯＦＦ制御手段は、複数回の上記通電状態を１サイクルとして周期的に繰り返すように構成されている。
【０００７】
また、コンセントは、天井に付設された電源ソケットと、天井吊下げ型照明器具のプラグ部と、を連結するものであって、隣り合う通電状態のＯＮ時間長さが相違するようにＯＮとＯＦＦを交互に切換えるＯＮ・ＯＦＦ制御手段を、具備する。
【０００８】
また、コンセントは、天井に付設された電源ソケットと、天井吊下げ型照明器具のプラグ部と、を連結するものであって、隣り合う通電状態のＯＮ時間長さが相違するようにＯＮとＯＦＦを交互に切換えるＯＮ・ＯＦＦ制御手段を、具備し、しかも、該ＯＮ・ＯＦＦ制御手段は、複数回の上記通電状態を１サイクルとして周期的に繰り返すように構成されている。
【０００９】
また、リモコンの操作によって、上記照明器具への通電を、ＯＮ状態と、ＯＦＦ状態と、上記ＯＮ・ＯＦＦ制御手段と、に択一的に切換わるように構成されている。
【００１０】
また、本発明に係る家庭用防犯方法は、留守中の家庭に於て、電源コンセントに接続したコンセント内のＯＮ・ＯＦＦ制御手段によって、自動的に、光及び／又は音声を発する電気器具を、ＯＮとＯＦＦを交互に切換えて、在宅偽装を行うものである。
【００１１】
また、家庭用防犯方法は、留守中の家庭に於て、天井に付設された電源ソケットに接続したコンセント内のＯＮ・ＯＦＦ制御手段によって、自動的に、天井吊下げ型照明器具を、ＯＮとＯＦＦを交互に切換えて、在宅偽装を行う────在宅偽装状態を演出する────ものである。
【発明の効果】
【００１２】
電気器具と電源コンセントとを連結するコンセントであって、このコンセントが、隣り合う通電状態のＯＮ時間長さが相違するようにＯＮとＯＦＦを交互に切換えるＯＮ・ＯＦＦ制御手段を、具備するので、家庭に於て、光及び／又は音声を発する（照明器具やオーディオ装置等の）電気器具を接続しておけば、留守にしている間に、これらの電気器具を、自動的に、ＯＮ・ＯＦＦ交互に切換えることができ、夜間でも、日中でも、外部の人間に対し、家の中に人が居るように見せること（在宅偽装）ができるので、空き巣に入られる心配がない。
しかも、隣り合う通電状態のＯＮ時間長さが相違するように設定されるので、ＯＮ時間長さが一定に設定される場合に比べて、実際に人が電気器具をＯＮ・ＯＦＦ切換しているかのように、外部の人間に、一層強く思わせることができる。つまり、在宅偽装状態を強力に演出できる。
【発明を実施するための最良の形態】
【００１３】
以下、実施の形態を示す図面に基づき、本発明を詳説する。
図１，図２は本発明に係るコンセントの実施の一形態を示し、このコンセント20は、部屋内の電源コンセント１に差込まれる端子（刃）２，２と、電気器具３のプラグ４が差込まれる差込（刃受け）孔部５，５と、を有する。
具体的には、コンセント20は、下面に差込孔部５，５が設けられた縦長略直方体形状のコンセント本体21を、有し、コンセント本体21は、後面に、端子２，２が設けられ、かつ、前面に、（後述の）切換スイッチ13とＬＥＤ（発光ダイオード）12が設けられる。
また、このコンセント20に接続される電気器具３として、光及び／又は音声を発するものが適しており、例えば、卓上照明器具10や、ＦＭラジオ機能等を具備するオーディオ装置11等が、ある。
【００１４】
そして、コンセント20は、隣り合う通電状態のＯＮ時間長さＴ1 ，Ｔ1 が相違するようにＯＮとＯＦＦを交互に切換えるＯＮ・ＯＦＦ制御手段（タイマー手段）14を、具備している（図７，図８参照）。
切換スイッチ13は、コンセント20から電気器具３への通電を、連続ＯＮ（入）状態と、ＯＦＦ（切）状態と、ＯＮ・ＯＦＦ制御手段14と、に択一的に切換えるものである。
なお、上記ＬＥＤ12は、切換スイッチ13がＯＮ・ＯＦＦ制御手段に切換えられている場合に点灯する緑色ＬＥＤと、切換スイッチ13が連続ＯＮ状態に切換えられている場合に点灯する赤色ＬＥＤと、から成る。
【００１５】
次に、図７に於て、図１，図２に示すコンセント20のスイッチ13をＯＮ・ＯＦＦ制御手段14に切換えて使用する場合の、電気器具３へ（通電ＯＮ状態の）ＯＮ時間長さＴ1 と、（ＯＦＦ状態の）ＯＦＦ時間長さＴ2 との関係について、説明する。
先ず、図７（Ａ）は、隣り合うＯＮ時間長さＴ1 ，Ｔ1 が相違すると共に、ＯＦＦ時間長さＴ2 が一定の長さで繰り返されるように、ＯＮ・ＯＦＦ制御手段14を設定した場合である。
この図７（Ａ）では、隣り合って長さが相違する一対のＯＮ時間長さＴ1 ，Ｔ1 と、夫々のＯＮ状態から切換わるＯＦＦ状態のＯＦＦ時間長さＴ2 ，Ｔ2 と、から一つのサイクルＴが構成され、周期的に繰り返される。
例えば、相違するＯＮ時間長さＴ1 ，Ｔ1 を、夫々、５分間，15分間に設定し、ＯＦＦ時間長さＴ2 を、10分間に設定する。
あるいは、図示省略するが、１サイクルＴを、３連続以上隣り合って長さが相違するＯＮ時間長さＴ1 …と、ＯＦＦ時間長さＴ2 …と、から構成してもよい。
次に、図７（Ｂ）は、隣り合うＯＮ時間長さＴ1 ，Ｔ1 が相違すると共に、隣り合うＯＦＦ時間長さＴ2 が相違するように、ＯＮ・ＯＦＦ制御手段14を設定した場合である。
この図７（Ｂ）では、長さの相違するＯＮ時間長さＴ1 …と、長さの相違するＯＦＦ時間長さＴ2 …とを、夫々４連続にして、１サイクルＴが構成されている。
あるいは、図示省略するが、１サイクルＴを、隣り合って長さが相違するＯＮ時間長さＴ1 …と、ＯＦＦ時間長さＴ2 …と、を夫々５連続以上として構成してもよい。
また、所望により、コンセント20に、ＯＮ・ＯＦＦ時間長さＴ1 ，Ｔ2 を調節自在としてＯＮ・ＯＦＦ制御手段14を制御するタイマー調節手段15を、内蔵してもよい（図８参照）。
【００１６】
次に、図４，図５及び図６は本発明に係るコンセントの他の実施の形態を示し、このコンセント30は、天井17に付設された（天井吊下げ引っ掛け型）電源ソケット７と、天井吊下げ型照明器具10Ａのプラグ部８と、を連結するものである。
具体的には、コンセント30は、略円盤形状のコンセント本体31を、備え、コンセント本体31は、照明器具10Ａのプラグ部８の引掛刃が差込まれて引っ掛けられる差込引掛孔部32，32を、下面に有する。
また、本体31は、天井17の電源ソケット７の一対の引掛孔部に差し込んで引っ掛ける引掛刃33，33が、上面に突設されている。
【００１７】
そして、この図４〜図６のコンセント30は、図１，図２のコンセント20と同様の構成のＯＮ・ＯＦＦ制御手段（タイマー手段）14を、具備しているが、図１，図２のコンセント20と相違し、切換スイッチ13が本体31に設けられておらず、リモコン９から送信される切換信号の電波を受信する受信部が、内蔵されている。
リモコン９は、照明器具10Ａへの通電を、ＯＮ状態と、ＯＦＦ状態と、ＯＮ・ＯＦＦ制御手段14と、に択一的に切換えるための切換ボタン19を、有する。
【００１８】
次に、コンセント20，30の使用方法及び作用について、説明する。
先ず、図１，図２に於て、コンセント20の端子２，２を、部屋内の電源コンセント１に差込み、そして、卓上照明器具10や、ＦＭラジオ機能等を具備するオーディオ装置11等のプラグ４を、コンセント20の差込孔部５，５に差込む。
在宅の場合は、切換スイッチ13を「連続入」とすれば常時通電状態となって電気器具３を通常使用でき、一方、「切」に切換えれば、非通電状態になる。
そして、家を長期間留守にする場合、出掛ける前に、切換スイッチ13を「ランダムタイマー」に切換えて、コンセント20の機能を、ＯＮ・ＯＦＦ制御手段14に切換えると、電気器具３への通電は、例えば、図７（Ａ）や、図７（Ｂ）で既述したような時間長さＴ1 ，Ｔ2 の関係をもって、自動的にＯＮとＯＦＦとに交互に切換わる。
コンセント20がＯＮ状態の間は、照明器具10が点灯したり、オーディオ装置11のＦＭラジオから音声が流れ出る（図３（Ａ）参照）。
そして、ＯＮ時間長さＴ1 が経過しＯＦＦに切換わると、照明器具10やオーディオ装置11への通電が停止する（図３（Ｂ）参照）。
さらに、ＯＦＦ時間長さＴ2 が経過してＯＮに切換わると、再び照明器具10や、オーディオ装置11に通電し、点灯したり音声が流れる（図３（Ａ）参照）。
このように、留守中の家に於て、自動的に、光及び／又は音声を発する電気器具３が、ＯＮとＯＦＦに交互に切換わり、まるで、家の中で人が電気器具３をＯＮ・ＯＦＦさせているかのような印象を、外部の人間に与えることができる。即ち、在宅偽装状態を巧妙に演出することができる。
しかも、図７で既述したように、隣り合う通電状態のＯＮ時間長さＴ1 ，Ｔ1 が相違するように切換わるので、ＯＮ時間長さＴ1 が一定の場合に比べて、部屋内で、実際に人がＯＮ・ＯＦＦ切換をしているような印象を、一層強く与えられる。つまり、一層強力な在宅偽装状態が演出される。
【００１９】
次に、図４〜図６に於て、コンセント30の本体31の引掛刃33，33を、天井17の電源ソケット７の一対の引掛孔部に差し込んで、捻じって引っ掛け、そして、照明器具10Ａのプラグ部８の引掛刃を、本体31の差込引掛孔部32，32に差込んで、捻じって引っ掛ける。
在宅時には、リモコン９の切換ボタン19を押して「入」にすると、照明器具10Ａは、点灯し続け、「切」に切換えると、非通電状態になり消灯する。
そして、家を長期間留守にする場合、出掛ける前に、切換ボタン19を「ランダム」に切換えて、コンセント30の機能を、ＯＮ・ＯＦＦ制御手段14に切換えると、照明器具10Ａへの通電は、例えば、図７（Ａ）や、図７（Ｂ）で既述したような時間長さＴ1 ，Ｔ2 の関係をもって、ＯＮ状態と、ＯＦＦ状態とに交互に切換わる。
このように、図１〜図３のコンセント20の場合と同様に、照明器具10Ａが、自動的にＯＮ・ＯＦＦを繰り返し、在宅偽装を行う（在宅偽装状態を演出する）ことができる。
【００２０】
また、照明器具10Ａが、下方からＯＮ・ＯＦＦを切換える切換用引張紐等を、有していないものであっても、リモコン９操作により、離れた位置（例えば、ベッドで寝た状態）から、ＯＮ・ＯＦＦの切換えをすることができる。
このように、このコンセント30及びリモコン９を使用することで、照明器具10Ａに防犯機能を持たせるだけでなく、離れた位置から、照明器具10ＡのＯＮ・ＯＦＦ切換が、可能となる。
【００２１】
以上のように、本発明に係るコンセントは、電源コンセント１に差込まれる端子２，２と、光及び／又は音声を発する電気器具３の差込プラグ４が差込まれる差込孔部５, ５と、を有し、さらに、隣り合う通電状態のＯＮ時間長さＴ1 ，Ｔ1 が相違するようにＯＮとＯＦＦを交互に切換えるＯＮ・ＯＦＦ制御手段14を、具備するので、家庭に於て、光及び／又は音声を発する（照明器具やオーディオ装置等の）電気器具３を接続しておけば、留守にしている間に、これらの電気器具３を、自動的に、ＯＮ・ＯＦＦに交互に切換えることができ、夜間でも、日中でも、外部の人間に対し、家の中に人が居るように見せること（在宅偽装）ができるので、空き巣に入られる心配がない。
このように、コンセントによって、普段使用している電気器具３に、防犯機能を持たせることができる。
しかも、隣り合う通電状態のＯＮ時間長さＴ1 ，Ｔ1 が相違するように設定されるので、ＯＮ時間長さＴ1 …が一定に設定される場合に比べて、実際に人が電気器具３をＯＮ・ＯＦＦ切換しているかのように、外部の人間に、一層強く思わせることができ、強力な在宅偽装状態を演出できる。
【００２２】
また、コンセントは、電源コンセント１に差込まれる端子２, ２と、光及び／又は音声を発する電気器具３の差込プラグ４が差込まれる差込孔部５, ５と、を有し、さらに、隣り合う通電状態のＯＮ時間長さＴ1 ，Ｔ1 が相違するようにＯＮとＯＦＦを交互に切換えるＯＮ・ＯＦＦ制御手段14を、具備し、しかも、ＯＮ・ＯＦＦ制御手段14は、複数回の通電状態を１サイクルＴとして周期的に繰り返すように構成されているので、家庭に於て、光及び／又は音声を発する（照明器具やオーディオ装置等の）電気器具３を接続しておけば、留守にしている間に、これらの電気器具３を、自動的に、ＯＮ・ＯＦＦに交互に切換えることができ、夜間でも、日中でも、外部の人間に対し、家の中に人が居るように見せること（在宅偽装）ができるので、空き巣に入られる心配がない。
このように、本発明のコンセントによって、普段使用している電気器具３に、防犯機能を持たせることができる。
しかも、隣り合う通電状態のＯＮ時間長さＴ1 ，Ｔ1 が相違するように設定されるので、ＯＮ時間長さＴ1 …が一定に設定される場合に比べて、実際に人が電気器具３をＯＮ・ＯＦＦ切換しているかのように、外部の人間に、一層強く思わせることができる。
そして、複数回の通電状態を１サイクルＴとして周期的に繰り返すように構成されているので、例えば、ＯＦＦ状態が長く続き過ぎてしまうような虞れがなく、効果的に在宅偽装状態を演出できる。
このように、本発明のコンセントによって、普段使用している電気器具３に、効果的な防犯機能を持たせることができる。
【００２３】
また、コンセントは、天井に付設された電源ソケット７と、天井吊下げ型照明器具10Ａのプラグ部８と、を連結するものであって、隣り合う通電状態のＯＮ時間長さＴ1 ，Ｔ1 が相違するようにＯＮとＯＦＦを交互に切換えるＯＮ・ＯＦＦ制御手段14を、具備するので、家庭に於て、照明器具10Ａを接続しておけば、留守にしている間に、照明器具10Ａを、自動的に、ＯＮ・ＯＦＦに交互に切換えることができ、留守中の夜間に於て、外部の人間に対し、家の中に人が居るように見せること（在宅偽装）ができるので、空き巣に入られる心配がない。
しかも、隣り合う通電状態のＯＮ時間長さＴ1 ，Ｔ1 が相違するように設定されるので、ＯＮ時間長さＴ1 …が一定に設定される場合に比べて、実際に人が照明器具10ＡをＯＮ・ＯＦＦ切換しているかのように、外部の人間に、一層強く思わせることができる。
このように、本発明のコンセントによって、普段使用している電気器具３に、効果的な防犯機能を持たせることができる。
【００２４】
また、コンセントは、天井に付設された電源ソケット７と、天井吊下げ型照明器具10Ａのプラグ部８と、を連結するものであって、隣り合う通電状態のＯＮ時間長さＴ1 ，Ｔ1 が相違するようにＯＮとＯＦＦを交互に切換えるＯＮ・ＯＦＦ制御手段14を、具備し、しかも、ＯＮ・ＯＦＦ制御手段14は、複数回の通電状態を１サイクルＴとして周期的に繰り返すように構成されているので、家庭に於て、照明器具10Ａを接続しておけば、留守にしている間に、照明器具10Ａを、自動的に、ＯＮ・ＯＦＦに交互に切換えることができ、留守中の夜間に於て、外部の人間に対し、家の中に人が居るように見せること（在宅偽装）ができるので、空き巣に入られる心配がない。
しかも、隣り合う通電状態のＯＮ時間長さＴ1 ，Ｔ1 が相違するように設定されるので、ＯＮ時間長さＴ1 …が一定に設定される場合に比べて、実際に人が照明器具10ＡをＯＮ・ＯＦＦ切換しているかのように、外部の人間に、一層強く思わせることができる。
そして、複数回の通電状態を１サイクルＴとして周期的に繰り返すように構成されているので、例えば、ＯＦＦ状態が長く続き過ぎてしまうような虞れがなく、効果的に在宅偽装状態を演出できる。
このように、本発明のコンセントによって、普段使用している電気器具３に、効果的な防犯機能を持たせることができる。
【００２５】
また、リモコン９の操作によって、照明器具10Ａへの通電を、ＯＮ状態と、ＯＦＦ状態と、ＯＮ・ＯＦＦ制御手段14と、に択一的に切換わるように構成されているので、照明器具10Ａが、下方からＯＮ・ＯＦＦを切換える切換用引張紐等を、有していないものであっても、リモコン９操作により、離れた位置（例えば、ベッドで寝た状態）から、ＯＮ・ＯＦＦの切換えをすることができる。
このように、照明器具10Ａに防犯機能を持たせるだけでなく、離れた位置から、照明器具10ＡのＯＮ・ＯＦＦ切換が、可能となる。
【００２６】
また、本発明に係る家庭用防犯方法として、留守中の家庭に於て、電源コンセント１に接続したコンセント20内のＯＮ・ＯＦＦ制御手段14によって、自動的に、光及び／又は音声を発する電気器具３を、ＯＮとＯＦＦを交互に切換えて、在宅偽装を行うので、夜間でも、日中でも、外部の人間に対し、部屋内に人が居るように見せること（在宅偽装）ができるので、空き巣に入られる心配がない。
このように、コンセント20によって、普段使用している電気器具３を、留守中に於ける防犯装置とすることができる。
【００２７】
また、家庭用防犯方法として、留守中の家庭に於て、天井に付設された電源ソケット７に接続したコンセント30内のＯＮ・ＯＦＦ制御手段14によって、自動的に、天井吊下げ型照明器具10Ａを、ＯＮとＯＦＦを交互に切換えて、在宅偽装を行うので、特に夜間の留守中に、空き巣に入られる心配がない。
このように、コンセント30によって、普段使用している照明器具10Ａを、留守中に於ける防犯装置とすることができる。
【図面の簡単な説明】
【００２８】
【図１】本発明に係るコンセントの実施の一形態を示す斜視図である。
【図２】使用方法を示す説明用斜視図である。
【図３】説明用簡略図であって、（Ａ）は電気器具がＯＮの状態を示す説明用簡略図で、（Ｂ）は電気器具がＯＦＦの状態を示す説明用簡略図である。
【図４】本発明に係るコンセントの他の実施の形態を示す斜視図であって、（Ａ）は上方斜視図で、（Ｂ）は下方斜視図である。
【図５】説明用分解斜視図である。
【図６】説明用斜視図である。
【図７】通電状態のＯＮ・ＯＦＦ状態を示す説明用グラフ図であり、（Ａ）はＯＦＦ時間長さが一定の場合を示す説明用グラフ図で、（Ｂ）は隣り合うＯＦＦ時間長さが相違する場合を示す説明用グラフ図である。
【図８】説明用ブロック図である。
【符号の説明】
【００２９】
１  電源コンセント
２  端子
３  電気器具
４  プラグ
５  差込孔部
７  電源ソケット
８  プラグ部
９  リモコン
10Ａ  吊下げ型照明器具
14  ＯＮ・ＯＦＦ制御手段
20  コンセント
30  コンセント
Ｔ  サイクル
Ｔ1   ＯＮ時間長さ
【図１】
2006147446.tif 000003
【図２】
2006147446.tif 000004
【図３】
2006147446.tif 000005
【図４】
2006147446.tif 000006
【図５】
2006147446.tif 000007
【図６】
2006147446.tif 000008
【図７】
2006147446.tif 000009
【図８】
2006147446.tif 000010